(57)【要約】【課題】吸込側薬剤の薬効成分を多量に大気に放出できると共に、吐出側薬剤の薬効成分を多量に大気に放出できる送風式薬剤放散装置とする。【解決手段】吸込口２と吐出口３を有し、送風機４を設けた装置本体１と、この装置本体１に吸込口２と対向して設けた吸込側薬剤１０と、前記装置本体１に吐出口３と対向して設けた環状の空気流通路６を備え、この空気流通路６は吐出側薬剤２０を設けた薬剤収容部６ａと空洞部６ｂを有し、その空洞部６ｂが流入口７で前記吐出口３と連通し、かつ放出口８で大気に開口し、前記送風機４を駆動することで吸込側薬剤１０の薬効成分を含む空気が空洞部６ｂに流入して一部が放出口８から大気に直接放出し、残りの空気が吐出側薬剤２０に触れながら空気流通路６を循環し、かつ放出口８から大気に放出されるようにすることで、吸込側薬剤１０、吐出側薬剤２０の薬効成分を多量に大気に放出できる送風式薬剤放散装置とする。【選択図】図２
2007325776.tif 000002
【特許請求の範囲】
【請求項１】
吸込口２と吐出口３を有した装置本体１と、
この装置本体１に設けられた送風機４と、
前記装置本体１の吸込口２側に設けた吸込側薬剤１０と、
前記装置本体１の吐出口３と連続した環状の空気流通路６を有し、
この空気流通路６は、薬剤収容部６ａと空洞部６ｂ、前記吐出口３と連通した流入口７、大気に開放した放出口８を有し、その薬剤収容部６ａに吐出側薬剤２０が設けてあり、
前記送風機４を駆動することで吸込側薬剤１０の薬効成分を含有した空気は吐出口３、流入口７から空洞部６ｂ内に流入し、その一部が放出口８から大気に直接放出され、残りの空気が環状の空気流通路６に沿って循環して吐出側薬剤２０の薬効成分と吸込側薬剤１０の薬効成分を含有した空気が放出口８から大気に放出されるようにしたことを特徴とする送風式薬剤放散装置。
【請求項２】
装置本体１の外周面に中空のリング状部材３０を取付け、このリング状部材３０の中空部を環状の空気流通路６とし、
前記リング状部材３０を、中空で半円形状の第１部材３１と第２部材３２を着脱自在に連結したものとし、
その第１部材３１内に吐出側薬剤２０を設けて薬剤収容部６ａとし、
前記第２部材３２に流入口７と放出口８を形成して空洞部６ｂとした請求項１記載の送風式薬剤放散装置。
【請求項３】
前記空気流通路６の薬剤収容部６ａの容積と空洞部６ｂの容積の比率を変えて吐出側薬剤２０の量を増減することで、吸込側薬剤１０と吐出側薬剤２０の薬効成分が同時に無くなるようにした請求項１記載の送風式薬剤放散装置。
【請求項４】
装置本体１の外周面に中空のリング状部材３０を取付け、このリング状部材３０の中空部を環状の空気流通路６とし、
前記リング状部材３０を、複数の中空の第１部材３１と複数の中空の第２部材３２を、周方向に交互に位置するように順次連結したものとし、
その各第１部材３１の中空部に吐出側薬剤２０をそれぞれ設けて薬剤収容部６ａとし、
前記各第２部材３２に流入口７と放出口８をそれぞれ形成して空洞部６ｂとした請求項１記載の送風式薬剤放散装置。
【請求項５】
装置本体１の外周面に中空のリング状部材３０を取付け、このリング状部材３０の中空部を環状の空気流通路６とし、
前記リング状部材３０の薬剤収容部６ａを形成する部分に開口３６，３８を形成し、この開口３６，３８から吐出側薬剤２０を薬剤収容部６ａ内に挿入して設けた請求項１記載の送風式薬剤放散装置。
【発明の詳細な説明】
【技術分野】
【０００１】
本発明は、芳香、消臭、除菌、殺虫、害虫忌避等の目的を達成するための揮散性の薬剤を放散する送風式薬剤放散装置に関する。
【背景技術】
【０００２】
送風式薬剤放散装置としては、特許文献１に開示されたものが知られている。
この送風式薬剤放散装置は、本体に送風機を設け、その送風機を駆動することで本体の吸込口から空気を吸い込んで本体の吐出口から排出されるようにし、前記本体の吸込側設置部に吸込側薬剤を設けると共に、本体の吐出側設置部に吐出側薬剤を設け、前述のように送風機を駆動することで吸込側薬剤の薬効成分及び吐出側薬剤の薬効成分が空気とともに大気に放出されるようにしてある。
【０００３】
【特許文献１】特開２００３−３０４７９１号公報
【発明の開示】
【発明が解決しようとする課題】
【０００４】
前述した従来の送風式薬剤放散装置であれば、吸込側薬剤の薬効成分と吐出側薬剤の薬効成分を大気に同時に放散することができるので、同時に複数の目的を達成することが可能である。
しかし、吸込側薬剤の薬効成分を含有した空気は、その全量が吐出側薬剤を通過して大気に放出されるので、その空気を大気に放出する際に吐出側薬剤がスムーズな放出の障害となり、吸込側薬剤の薬効成分が大気に放出され難く、その放出量が少なくなってしまう。
【０００５】
このことを解消するために、前述した従来の送風式薬剤放散装置においては、吐出側薬剤に気流通過部（孔）を設け、吸込側薬剤の薬効成分を含む空気の一部を気流通過部から直接大気に放出し、残りの空気を吐出側薬剤を通して大気に放出することで、吸込側薬剤の薬効成分を大気に放出し易くし、その放出量を多くできる。
しかし、このようにした場合には吐出側薬剤を通過する空気の量が少なくなるので、吐出側薬剤の薬効成分が大気に放出される量が低減することになる。
【０００６】
本発明の目的は、吸込側薬剤の薬効成分を大気に多量に放出できると共に、吐出側薬剤の薬効成分を大気に多量に放出できるようにした送風式薬剤放散装置を提供することである。
【課題を解決するための手段】
【０００７】
第１の発明は、吸込口２と吐出口３を有した装置本体１と、
この装置本体１に設けられた送風機４と、
前記装置本体１の吸込口２側に設けた吸込側薬剤１０と、
前記装置本体１の吐出口３と連続した環状の空気流通路６を有し、
この空気流通路６は、薬剤収容部６ａと空洞部６ｂ、前記吐出口３と連通した流入口７、大気に開放した放出口８を有し、その薬剤収容部６ａに吐出側薬剤２０が設けてあり、
前記送風機４を駆動することで吸込側薬剤１０の薬効成分を含有した空気は吐出口３、流入口７から空洞部６ｂ内に流入し、その一部が放出口８から大気に直接放出され、残りの空気が環状の空気流通路６に沿って循環して吐出側薬剤２０の薬効成分と吸込側薬剤１０の薬効成分を含有した空気が放出口８から大気に放出されるようにしたことを特徴とする送風式薬剤放散装置である。
【０００８】
第２の発明は、第１の発明において、装置本体１の外周面に中空のリング状部材３０を取付け、このリング状部材３０の中空部を環状の空気流通路６とし、
前記リング状部材３０を、中空で半円形状の第１部材３１と第２部材３２を着脱自在に連結したものとし、
その第１部材３１内に吐出側薬剤２０を設けて薬剤収容部６ａとし、
前記第２部材３２に流入口７と放出口８を形成して空洞部６ｂとした送風式薬剤放散装置である。
【０００９】
第３の発明は、第１の発明において、前記空気流通路６の薬剤収容部６ａの容積と空洞部６ｂの容積の比率を変えて吐出側薬剤２０の量を増減することで、吸込側薬剤１０と吐出側薬剤２０の薬効成分が同時に無くなるようにした送風式薬剤放散装置である。
【００１０】
第４の発明は、第１の発明において、装置本体１の外周面に中空のリング状部材３０を取付け、このリング状部材３０の中空部を環状の空気流通路６とし、
前記リング状部材３０を、複数の中空の第１部材３１と複数の中空の第２部材３２を、周方向に交互に位置するように順次連結したものとし、
その各第１部材３１の中空部に吐出側薬剤２０をそれぞれ設けて薬剤収容部６ａとし、
前記各第２部材３２に流入口７と放出口８をそれぞれ形成して空洞部６ｂとした送風式薬剤放散装置である。
【００１１】
第５の発明は、第１の発明において、装置本体１の外周面に中空のリング状部材３０を取付け、このリング状部材３０の中空部を環状の空気流通路６とし、
前記リング状部材３０の薬剤収容部６ａを形成する部分に開口３６，３８を形成し、この開口３６，３８から吐出側薬剤２０を薬剤収容部６ａ内に挿入して設けた送風式薬剤放散装置である。
【発明の効果】
【００１２】
第１の発明によれば、吸込側薬剤１０の薬効成分を含有した空気は、吐出口３、流入口７から空気流通路６の空洞部６ｂに流入し、その空気の一部は放出口８から直接大気に放出されるので、吸込側薬剤１０の薬効成分を多量に放出できる。
また、前述の空気の残りの部分は吐出側薬剤２０に触れながら空気流通路６を循環して放出口８から大気に放出されるので、その吐出側薬剤２０には多量の空気が触れることになり、吐出側薬剤２０の薬効成分を大気に多量に放出できる。
【００１３】
第２の発明によれば、第１部材３１と第２部材３２を連結、分離することで装置本体１の外周面に取付けたり、外したりできるので、その第１部材３１に設けた吐出側薬剤２０を交換したり、補充したりすることができる。
【００１４】
第３の発明によれば、吸込側薬剤１０と吐出側薬剤２０の単位時間当たりの薬効成分揮散量が、揮散性の相違や、空気の流通量の相違などによって異なる場合でも、吸込側薬剤１０と吐出側薬剤２０が同時に薬効成分がなくなるようにできる。
【００１５】
第４の発明によれば、吸込側薬剤１０の薬効成分を含有した空気は、複数の空洞部６ｂにそれぞれ流入し、各空洞部６ｂにそれぞれ流入した各空気の一部が放出口８からそれぞれ大気に放出されるので、吸込側薬剤１０の薬効成分をより多量に大気に放出できる。
【００１６】
第５の発明によれば、リング状部材３０を一体として吐出側薬剤２０を交換、補充することができる。
【発明を実施するための最良の形態】
【００１７】
図１と図２に示すように、装置本体１は吸込口２と吐出口３を有し、その吸込口２と吐出口３との間に送風機４が設けてある。
前記装置本体１は吸込口２と連続した吸込側設置部５と、吐出口３と連続した環状の空気流通路６を有している。
前記吸込側設置部５に吸込側薬剤１０が設けてある。この吸込側薬剤１０は、例えば、通気部を有する容器１１にプレート状の薬剤含浸体１２を設け、通気部を有する押さえプレート１３で押さえて保持したものである。
前記空気流通路６は薬剤収容部６ａと空洞部６ｂを有し、その薬剤収容部６ａに吐出側薬剤２０が設けてある。例えば、粒状の薬剤含浸体２１が多数充填してある。
前記空気流通路６の空洞部６ｂには流入口７と放出口８が形成され、その流入口７が前記吐出口３と連通し、放出口８は大気に開口している。
【００１８】
このようであるから、送風機４を駆動することで図２の矢印ａのように吸込側薬剤１０を通して吸込口２に空気が吸い込まれ、その吸い込まれた空気は吸込側薬剤１０の薬効成分を含有する。
この吸い込みされた空気は図１、図２の矢印ｂのように吐出口３、流入口７から空気流通路６の空洞部６ｂに流入する。
そして空洞部６ｂに流入した空気の一部は図１、図２の矢印ｃのように放出口８から直接大気に放出されるので、その空気に含有されている吸込側薬剤１０の薬効成分は大気に多量に放出する。
【００１９】
前記空洞部６ｂに流入した空気の残りは図１の矢印ｄのように空洞部６ｂから薬剤収容部６ａに向けて流通し、環状の空気流通路６内を吐出側薬剤２０と触れながら循環し、その空気は吐出側薬剤２０の薬効成分を十分に含有した空気となる。
そして、この空気流通路６内を循環する空気の一部は図１の矢印ｅで示すように放出口８から大気に放出されるので、吐出側薬剤２０の薬効成分は大気に多量に放出される。
【００２０】
次に、各部材の具体形状を説明する。
前記装置本体１は、周面板１ａと上面板１ｂと中間横板１ｃで中空室１ｄと下面に開口した凹陥部１ｅを有する形状で、その中間横板１ｃに吸込口２が形成されていると共に、周面板１ａに吐出口３が中空室１ｄに連通して形成してある。
前記中空室１ｄに送風機４が設けてあり、この送風機４はモータ４ａでファン４ｂを回転駆動するものとしてある。
前記凹陥部１ｅが吸込側設置部５で、この凹陥部１ｅに吸込側薬剤１０（容器１１）が挿入され、抜け止めリング９で落下しないように保持している。
前記上面板１ｂに電池収納室１ｆが形成され、この電池収納室１ｆに収納した電池（図示せず）で、前記モータ４ａが駆動される。
【００２１】
前記装置本体１の周面板１ａ（外周面１−１）に、中空のリング状部材３０を嵌合して取付け、そのリング状部材３０の中空部を前述の環状の空気流通路６としてある。
前記リング状部材３０は、中空で半円形状の第１・第２部材３１，３２を着脱自在に連結したものとしてある。
例えば、第１部材３１の一端開口部分３１ａが第２部材３２の一端開口部分３２ａの内面に嵌合し、第２部材３２の他端開口部分３２ｂが第１部材３１の他端開口部分３１ｂの内面に嵌合するようにしてある。
この実施の形態では、第１部材３１と第２部材３２は同一形状で、相互に反転することで前述のように嵌合して連結できるようにしてある。
そして、第１部材３１の中空部に吐出側薬剤２０を設けて薬剤収容部６ａとしてある。
前記第２部材３２の内周壁３２ｃに流入口７を形成すると共に、外周壁３２ｄに放出口８を形成して前述の空洞部６ｂとしてある。
前記第１部材３１の両端開口部の近くにネット３３を設けて粒状の薬剤含浸体２１がこぼれ落ちないようにしてある。
【００２２】
このようであるから、装置本体１の外周面（周面板１ａ）１−１に第１・第２部材３１，３２の内周壁３１ｃ，３２ｃ（内周面３０−１）を接するようにして両端開口部分をそれぞれ嵌合して第１部材３１と第２部材３２を連結することで、リング状部材３０を取り付けできる。
また、第１部材３１と第２部材３２を強い力で引き離すことで分離できるから、第１部材３１に設けた吐出側薬剤２０を交換したり、補充したりすることができる。
【００２３】
前述の実施の形態では、空気流通路６を薬剤収容部６ａと空洞部６ｂに２等分し、その薬剤収容部６ａと空洞部６ｂを１８０度の範囲としたが、これに限ることはなく、薬剤収容部６ａと空洞部６ｂの範囲を異ならせて薬剤収容部６ａの容積を増減して吐出側薬剤２０の量を変更しても良い。
【００２４】
このようにすれば、吸込側薬剤１０の量と吐出側薬剤２０の量との比率を変え、送風式薬剤放散装置を使用した場合に吸込側薬剤１０と吐出側薬剤２０が同時に薬効成分がなくなるようにすることができる。
すなわち、吸込側薬剤１０と吐出側薬剤２０は、その薬剤の種類による揮散性の相違や、空気の流通量の相違などで、単位時間当たりの薬効成分揮散量が異なり、一方が先に薬効成分がなくなることがある。
このことに鑑み、前述のようにして吐出側薬剤２０の量を増減して同時に薬効成分がなくなるようにする。
なお、吸込側薬剤１０の量を変えて同時に薬効成分がなくなるようにすることも可能である。
【００２５】
例えば、図３に示すように薬剤収容部６ａの範囲を広くして容積を大きくし、空洞部６ｂの範囲を狭くして容積を小さくして、その容積の比率を変更する。
このようにすれば、吐出側薬剤２０を多量に設けることができる。
【００２６】
また、前述の各実施の形態では空気流通路６を１つの薬剤収容部６ａと１つの空洞部６ｂに区分したが、複数の薬剤収容部６ａと複数の空洞部６ｂに区分しても良い。
例えば、図４に示すように２つの薬剤収容部６ａと２つの空洞部６ｂに区分し、その薬剤収容部６ａと空洞部６ｂが周方向に交互に位置するようにする。
そして、各空洞部６ｂに流入口７と放出口８をそれぞれ形成し、その各空洞部６ｂに吸込側薬剤１０の薬効成分が含有した空気が矢印ｂのように流入し、その一部が放出口８から矢印ｃのように大気に直接放出され、残りの空気が空気流通路６を矢印ｄのように循環するようにする。
【００２７】
具体的には、２つの第１部材３１と２つの第２部材３２を周方向に交互に連結してリング状部材３０とする。
この場合には、２つの第１部材３１と２つの第２部材３２をあらかじめ連結してリング状部材３０とし、装置本体１の外周面に嵌合して取付ける。
【００２８】
前述の各実施の形態では吐出側薬剤２０を粒状の薬剤含浸体２１とし、薬剤収容部６ａに充填して設けたが、これに限ることはない。
例えば、図５（ａ）に示すように薬剤収容部６ａの内面に沿って吐出側薬剤２０を塗布などによって設け、その吐出側薬剤２０をリング形状として空気が流通するように設ける。
また、図５（ｂ）に示すように薬剤収容部６ａの下半分に吐出側薬剤２０に設け、上半分に空気が流通するようにする。
【００２９】
前述の各実施の形態では空気流通路６を構成する中空のリング状部材３０を周方向に分割して吐出側薬剤２０を交換、補充できるようにしたが、上下方向（高さ方向）に分割して吐出側薬剤２０を交換、補充できるようにしても良い。
例えば、図６に示すように断面上向きコ字状のリング状体３４と、その開口部に着脱自在に取付けたプレート３５で環状に連続した空気流通路６を有するリング状部材３０とする。
そして、リング状体３４内を周方向に区分して空気流通路６を、薬剤収納部６ａと空洞部６ｂとする。
また、図示は省略するが、前述のリング状体３４を装置本体１の周面板１ａに一体的に設け、プレート３５を着脱自在に設けて空気流通路６としても良い。
【００３０】
前述の各実施の形態は装置本体１の外周面１−１の全面にリング状部材３０の内周面３０−１を接したが、これに限ることはなく一部分が接するようにしても良い。
例えば、図７に示すように、装置本体１の外周面１−１の２ヶ所と中空リング状部材３０の内周面３０−１の２ヶ所を接し、他の部分は離隔する。
そして、前述の接している部分に吐出口３と流入口７をそれぞれ形成して吸込側薬剤１０の薬効成分を含有した空気が矢印ｂで示すように空気流通路６の空洞部６ｂにそれぞれ流入するようにする。
【００３１】
この実施の形態の吐出側薬剤２０はハニカム構造体２２に薬剤を含浸したもので、リング状部材３０の外周壁３０ａ，内周壁３０ｂに形成した開口３６から空気流通路６の薬剤収容部６ａ内に挿入してある。
このようであるから、リング状部材３０を一体形状として吐出側薬剤２０を交換したり、補充できる。
【００３２】
前述の各実施の形態においては、装置本体１の下面に吸込口２を備え、テーブルなどの横面に載置して使用するタイプで、上面に電池収納室１ｆを有しているが、この電池収納室１ｆを下面に設け、上面に吸込口２を形成しても良い。
これに限ることはなく、紐やフックなどを利用して壁などの縦面に取り付けて使用することもできる。
【００３３】
次に、縦面に取付けて使用するのに好ましい送風式薬剤放散装置の実施の形態を説明する。
図８と図９に示すように、装置本体１は吸込口２と吐出口３と吸込側設置部５を有し、送風機４と吸込側薬剤１０が設けてあり、その送風機４を駆動すると矢印ａで示すように空気を吸い込み、吸込側薬剤１０と触れて吸込側薬剤１０の薬効成分を含有した空気となり、その空気は吐出口３から吐出される。
【００３４】
前述の装置本体１の外周面１−１に設けた中空のリング状部材３０は、その内周面３０−１の一部分が装置本体１の外周面１−１の一部分に接し、その内周面３０−１の残りの部分と装置本体１の外周面１−１の残りの部分とは離隔して空間部を有している。
例えば、装置本体１の外周面１―１の下半分にリング状部材３０の内周面３０−１の下半分が接し、このリング状部材３０の上半分が装置本体１よりも上方に張り出して内周面３０−１の上半分と装置本体１の外周面１−１の上半分とが離隔している。
【００３５】
このようであるから、リング状部材３０の上部に吊り下げ部、例えば穴３７を形成し、その穴３７を縦面のフックに係止、又は穴３７に紐を通し、その紐を縦面に固着することで縦面に吊り下げるようにして取付けて使用する。
【００３６】
この実施の形態においては、吐出側薬剤２０が図１０に示すように把手２３を有した枠２４に網体２５を設け、その網体２５に薬剤を保持したもので、その枠２４を、中空のリング状部材３０の表面に形成した開口３８から空気流通路６の薬剤収容部６ａ内に挿入して設けるようにしてある。
図８においては、吐出側薬剤２０は３つ設けてあるが、１つでも良いし、４つ以上でも良い。
【００３７】
前記装置本体１の背面とリング状部材３０の背面とはほぼ面一で、縦面に均一に接して安定状態で取付けできるようにしてある。
また、装置本体１の電池収納室１ｆは前述の空間部に位置するように設けてある。
また、放出口８は空洞部６ｂに開口して複数形成してある。
前記穴３７からは空洞部５ｂ内を流通する空気が大気に放出されない。例えば、リング状部材３０の表面と背面とに亘ってパイプ３７ａを挿通して取付け、そのパイプ３７ａ内を穴３７としてある。
【００３８】
なお、この吐出側薬剤２０を前述の図７に示すものに使用できるし、図７に示す吐出側薬剤２０を図８，９に示すものに使用できる。
すなわち、リング状部材３０の薬剤収容部６ａを形成する部分に開口３６，３８を形成し、その開口３６，３８から吐出側薬剤２０を薬剤収容部６ａ内に挿入して設けることができる。
このようにすれば、リング状部材３０を一体とした場合でも吐出側薬剤２０を交換したり、補充したりすることができる。
【図面の簡単な説明】
【００３９】
【図１】本発明の第１の実施の形態を示す一部破断平面図である。
【図２】図１のＡ−Ａ断面図である。
【図３】本発明の第２の実施の形態を示す一部破断平面図である。
【図４】本発明の第３の実施の形態を示す一部破断平面図である。
【図５】薬剤収容部に吐出側薬剤を設けた状態の断面図である。
【図６】リング状部材の他の実施の形態を示す断面図である。
【図７】本発明の第４の実施の形態を示す一部破断平面図である。
【図８】本発明の第５の実施の形態を示す一部破断正面図である。
【図９】図８のＢ−Ｂ断面図である。
【図１０】吐出側薬剤の斜視図である。
【符号の説明】
【００４０】
１…装置本体、１−１…外周面、２…吸込口、３…吐出口、４…送風機、６…環状の空気流通路、６ａ…薬剤収容部、６ｂ…空洞部、７…流入口、８…放出口、１０…吸込側薬剤、２０…吐出側薬剤、３０…リング状部材、３１…第１部材、３２…第２部材。
【図１】
2007325776.tif 000003
【図２】
2007325776.tif 000004
【図３】
2007325776.tif 000005
【図４】
2007325776.tif 000006
【図５】
2007325776.tif 000007
【図６】
2007325776.tif 000008
【図７】
2007325776.tif 000009
【図８】
2007325776.tif 000010
【図９】
2007325776.tif 000011
【図１０】
2007325776.tif 000012